(57)【要約】【課題】加熱ローラを接地させる接地経路に配設されたツェナダイオードの定格を温湿度に応じて変化させるようにして、簡素な構成でありながら、加熱ローラの帯電バイアス電位を環境の変化に対応して適切に制御することができ、転写かすれや静電オフセットの発生を確実に防止することができ、高品位の画像を形成することができるようにする。【解決手段】加熱ローラ２６及び加圧ローラ２７を備える定着器と、前記加熱ローラ２６を接地させる接地経路に配設された定格の異なる複数のツェナダイオード３１と、該ツェナダイオード３１を選択する切換スイッチと、温度及び湿度を検出するセンサと、前記切換スイッチの動作を制御する制御手段とを有し、該制御手段は、前記センサが検出した温度及び／又は湿度に応じた定格のツェナダイオード３１を選択するように前記切換スイッチの動作を制御する。【選択図】図１
2009175424.tif 000002
【特許請求の範囲】
【請求項１】
（ａ）加熱ローラ及び加圧ローラを備える定着器と、
（ｂ）前記加熱ローラを接地させる接地経路に配設された定格の異なる複数のツェナダイオードと、
（ｃ）該ツェナダイオードを選択する切換スイッチと、
（ｄ）温度及び湿度を検出するセンサと、
（ｅ）前記切換スイッチの動作を制御する制御手段とを有し、
（ｆ）該制御手段は、前記センサが検出した温度及び／又は湿度に応じた定格のツェナダイオードを選択するように前記切換スイッチの動作を制御することを特徴とする画像形成装置。
【請求項２】
前記ツェナダイオードを選択することによって前記加熱ローラのバイアス電位を調整する請求項１に記載の画像形成装置。
【請求項３】
前記制御手段は、前記センサが検出した温度及び湿度が高い場合には定格の高いツェナダイオードを選択し、前記センサが検出した温度及び湿度が低い場合には定格の低いツェナダイオードを選択するように前記切換スイッチの動作を制御する請求項１又は２に記載の画像形成装置。
【請求項４】
前記切換スイッチは手動操作が可能である請求項１〜３のいずれか１項に記載の画像形成装置。
【請求項５】
前記ツェナダイオードは、前記加熱ローラの軸受に接続される請求項１〜４のいずれか１項に記載の画像形成装置。
【発明の詳細な説明】
【技術分野】
【０００１】
本発明は、画像形成装置に関するものである。
【背景技術】
【０００２】
従来、電子写真方式の複写機、ファクシミリ機、複合機（ＭＦＰ：Ｍｕｌｔｉ  Ｆｕｎｃｔｉｏｎ  Ｐｒｉｎｔｅｒ）等の画像形成装置においては、感光体ドラムとこれに接する転写ローラによって、用紙上にトナー像を形成し、加熱ローラとこれに圧接する加圧ローラとから構成される定着器によって、用紙上に転写されたトナー像を加熱定着させている。
【０００３】
そして、加熱ローラヘのトナー汚れの付着を防止するために、ダイオード、抵抗、バリスタ、コンデンサ等を介して、加熱ロ−ラを接地電位に接続させる技術が提案されている（例えば、特許文献１参照。）。
【特許文献１】特開２００３−２９５６６２号公報
【発明の開示】
【発明が解決しようとする課題】
【０００４】
しかしながら、前記従来の画像形成装置においては、環境の変化によって温度や湿度が変化すると、用紙の表面抵抗、体積抵抗、静電帯電量等が変化し、転写かすれや静電オフセットが発生してしまうことがあった。
【０００５】
例えば、高温多湿の環境下では用紙の抵抗が小さくなる。そのため、用紙が転写ローラと感光体ドラムとの間及び加熱ローラとバックアップローラとの間の両方に挟まれた状態では、転写ローラと用紙と加熱ローラとを結ぶ電流パスが形成され、転写ローラと感光体ドラムとの間に十分なバイアスをかけることができず、転写かすれが発生してしまう。
【０００６】
また、例えば、低温低湿の環境下では、用紙が静電気を帯びやすくなる。そのため、用紙の過剰な帯電によってトナー帯電量が増加し、定着ローラにトナーが付着する静電オフセットが発生してしまう。
【０００７】
本発明は、前記従来の問題点を解決して、加熱ローラを接地させる接地経路に配設されたツェナダイオードの定格を温湿度に応じて変化させるようにして、簡素な構成でありながら、加熱ローラの帯電バイアス電位を環境の変化に対応して適切に制御することができ、転写かすれや静電オフセットの発生を確実に防止することができ、高品位の画像を形成することができる画像形成装置を提供することを目的とする。
【課題を解決するための手段】
【０００８】
そのために、本発明の画像形成装置においては、加熱ローラ及び加圧ローラを備える定着器と、前記加熱ローラを接地させる接地経路に配設された定格の異なる複数のツェナダイオードと、該ツェナダイオードを選択する切換スイッチと、温度及び湿度を検出するセンサと、前記切換スイッチの動作を制御する制御手段とを有し、該制御手段は、前記センサが検出した温度及び／又は湿度に応じた定格のツェナダイオードを選択するように前記切換スイッチの動作を制御する。
【発明の効果】
【０００９】
本発明によれば、画像形成装置は、加熱ローラを接地させる接地経路に配設されたツェナダイオードの定格を温湿度に応じて変化させるようになっている。これにより、簡素な構成でありながら、加熱ローラの帯電バイアス電位を環境の変化に対応して適切に制御することができ、転写かすれや静電オフセットの発生を確実に防止することができ、高品位の画像を形成することができる。
【発明を実施するための最良の形態】
【００１０】
以下、本発明の実施の形態について図面を参照しながら詳細に説明する。
【００１１】
図１は本発明の第１の実施の形態における画像形成装置の構成を示す図、図２は本発明の第１の実施の形態における画像形成装置の要部拡大図である。
【００１２】
図において、１０は本実施の形態における画像形成装置である。該画像形成装置１０は、例えば、プリンタ、ファクシミリ機、複写機、複合機等であり、電子写真方式によって、印刷用紙、封筒、ＯＨＰ（Ｏｖｅｒ  Ｈｅａｄ  Ｐｒｏｊｅｃｔｏｒ）シート等の媒体上に画像を形成する装置であれば、いかなる種類の装置であってもよい。また、前記画像形成装置１０は、モノクロ画像を形成するものであってもよいし、カラー画像を形成するものであってもよい。ここでは、前記画像形成装置１０がモノクロ画像を形成するプリンタ、すなわち、印刷機である場合について説明する。
【００１３】
前記画像形成装置１０は、媒体カセット１２、給紙ローラ１３、分離片１４、吸入センサ１５、レジストローラ１６、プレッシャローラ１７、搬送路１８、通過センサ１９、画像形成部２０、転写ローラ２１、感光体ドラム２２、帯電ローラ２３、印字ヘッド２４、現像ローラ２５、加熱ローラ２６、加圧ローラ２７、排出ローラ２８、従動ローラ２９、排出スタッカ３０及びツェナダイオード３１を有する。
【００１４】
そして、媒体カセット１２は、画像形成装置１０本体内の下部に配設され、画像が形成される前の複数の媒体１１を積層して格納する。さらに、給紙ローラ１３は、前記媒体カセット１２に格納された媒体１１を取り出して画像形成部２０に供給するためのローラであり、金属シャフト部と、円筒状のプラスチック材と、円筒状ゴム材とを備える。また、分離片１４は、前記給紙ローラ１３に圧接され、積層された媒体１１を１枚ずつに分けるためのものであり、ＥＰＤＭ（エチレンプロピレンジエンゴム）等のゴム材及びそれを固定するプラスチックフレームを備える。そして、搬送路１８上には、媒体１１が画像形成部２０の方向に吸入されたことを確認するためのセンサとしての吸入センサ１５が配設されている。
【００１５】
また、金属シャフト及びゴム層から成るレジストローラ１６と、金属シャフトから成るプレッシャローラ１７とは圧接されており、これにより、媒体１１を画像形成部２０まで搬送する。その後、通過センサ１９によって媒体１１の通過が検知されると、画像形成部２０が画像形成を開始する。
【００１６】
ここで、該画像形成部２０は、感光体ドラム２２、帯電ローラ２３及び現像ローラ２５に加えて、供給ローラ、トナー規制部材、クリーニング装置等の部材を含む部分の総称である。そして、前記画像形成部２０は、画像形成装置１０本体から取外可能な構成となっている。また、転写ローラ２１は、金属シャフトと発砲系ウレタンゴム材等の弾性材とから成り、感光体ドラム２２と対向する位置に配設されている。なお、前記感光体ドラム２２は、導電性支持体と光導電層とによって構成され、導電性支持体はアルミニウムの金属パイプから成り、光導電層は電荷発生層及び電荷輸送層を順次積層した有機系感光体である。また、前記導電性支持体は、画像形成装置１０本体等の接地部材に接続されて接地されている。さらに、前記帯電ローラ２３は、金属シャフトと半導電性ゴム層とから成る。
【００１７】
また、前記印字ヘッド２４は、ＬＥＤ（Ｌｉｇｈｔ  Ｅｍｉｔｔｉｎｇ  Ｄｉｏｄｅ）光やレーザ光による複数のドットを形成する露光手段を備え、感光体ドラム２２上に静電潜像を形成する。そして、現像ローラ２５は、金属シャフトと半導電性ウレタンゴム材等の弾性材とから成り、感光体ドラム２２上の静電潜像を現像してトナー像を形成する。
【００１８】
さらに、搬送路１８の下流には、媒体１１上に転写されたトナー像を加熱定着するための定着器の加熱ローラ２６と加圧ローラ２７とが互いに圧接して配設されている。前記加熱ローラ２６は、表面にＰＦＡ（パーフルオロアルコキシアルカン）コーティングが施され、内面にセルモ等が塗装されたアルミ素管を備える。また、前記加圧ローラ２７は、金属シャフト、導電性シリコンゴム層及びＰＦＡチューブを備える。そして、前記加熱ローラ２６と加圧ローラ２７との間をトナー像が転写された媒体１１が通過すると、トナー像が熱と圧力とによって媒体１１に定着される。なお、加熱ローラ２６は、画像形成装置１０本体等の接地部材に接続されて接地されており、その接地経路の途中にはツェナダイオード３１が配設されている。
【００１９】
そして、トナー像が定着された媒体１１は、排出ローラ２８及び従動ローラ２９によって、画像形成装置１０本体の上部に位置するＡＢＳ−ＰＣ（アクリロニトリルブタジエンスチレン−ポリカーボネイト）等のプラスチック材から成る排出スタッカ３０へ排出される。
【００２０】
次に、前記ツェナダイオード３１を制御する制御装置の構成について説明する。
【００２１】
図３は本発明の第１の実施の形態における画像形成装置のツェナダイオード及びその制御装置の構成を示す図、図４は本発明の第１の実施の形態における画像形成装置のツェナダイオードの制御装置の構成を示すブロック図、図５は本発明の第１の実施の形態におけるメモリに格納された内容を示す図である。
【００２２】
ここで、３１ａ、３１ｂ及び３１ｃは、定格（定格の電圧）が、それぞれ、２００〔Ｖ〕、１１０〔Ｖ〕、８０〔Ｖ〕のツェナダイオードである。そして、加熱ローラ２６に、制御手段としてのコントロール基板であるＣＵ３４と、ツェナダイオード３１ａ、３１ｂ及び３１ｃを選択する切換スイッチとしてのスイッチ３３ａ及び３３ｂとが接続されている。温度及び湿度を検出するセンサとしての温湿度センサ３５は、ＣＵ３４上に配設され、画像形成装置１０外部の温度を測定することができるように、発熱体のない部分に取り付けられている。前記温湿度センサ３５は、例えば、静電容量式相対湿度センサ等とバンドギャップ式温度センサ等とを組み合わせてシングルチップにした小型センサである。なお、本実施の形態において、ツェナダイオード３１ａ、３１ｂ及び３１ｃを統合的に説明する場合には、ツェナダイオード３１として説明する。
【００２３】
そして、ＣＵ３４は、温湿度センサ３５が検出した周辺環境の温度及び湿度に応じ、スイッチ３３ａ及び３３ｂのＯＮ（オン）とＯＦＦ（オフ）とを切り換えることによって、加熱ローラ２６の接地経路が対応する定格のツェナダイオード３１を通過するように選択する。すなわち、検出温度及び検出湿度に応じた定格のツェナダイオード３１を選択する。なお、検出温度及び検出湿度と、スイッチ３３ａ及び３３ｂのＯＮ及びＯＦＦと、ツェナダイオード３１ａ、３１ｂ及び３１ｃとの対応関係は、あらかじめ、例えば、図５に示されるように設定され、メモリ３６に格納されている。そして、ＣＵ３４は、メモリ３６を参照し、該メモリ３６に格納された対応関係に基づき、温湿度センサ３５が検出した検出温度及び検出湿度に応じてスイッチ３３ａ及び３３ｂのＯＮとＯＦＦとを切り換える。
【００２４】
次に、前記構成の画像形成装置１０の動作について説明する。
【００２５】
媒体カセット１２には、複数の媒体１１が格納されている。そして、画像形成装置１０が画像を形成する動作を開始すると、給紙ローラ１３と分離片１４とによって媒体カセット１２から１枚の媒体１１が給紙され、吸入センサ１５に到達する。該吸入センサ１５によって確認された媒体１１は、レジストローラ１６とプレッシャローラ１７とによって、搬送路１８へ送られる。そして、媒体１１が通過センサ１９を通過すると、画像形成部２０はトナー像の形成を開始する。感光体ドラム２２上に形成されたトナー像は、転写ローラ２１によって、搬送されてくる媒体１１上に転写される。
【００２６】
画像形成部２０でのトナー画像の形成は、以下のようにして行われる。まず、回転する感光体ドラム２２の表面が、帯電ローラ２３によって負に帯電される。そして、負に帯電された部分が印字ヘッド２４の下にくると、該印字ヘッド２４が露光し、帯電された部分に画像データに基づく静電潜像を形成する。該静電潜像は、現像ローラ２５によって現像されトナー像となる。そして、該トナー像が転写ローラ２１によって媒体１１に転写される。
【００２７】
続いて、トナー像が転写された媒体１１は、加熱ローラ２６と加圧ローラ２７との間を通過することによって、高温高圧で定着処理される。これにより、トナー像が熱と圧力とによって媒体１１に定着される。その後、トナー像が定着された媒体１１は、排出ローラ２８と従動ローラ２９とによって排出スタッカ３０に排出される。
【００２８】
本実施の形態において、ツェナダイオード３１は、加熱ローラ２６の軸受、すなわち、ベアリング部に接続されており、媒体１１を通して感光体ドラム２２と転写ローラ２１との間から加熱ローラ２６に電荷が逃げないように配設されている。ツェナダイオード３１をベアリング部に接続することによって、加熱ローラ２６を必要な程度にまで帯電させ、かつ、ツェナダイオード３１を通して加熱ローラ２６の過剰な帯電を防止し、静電オフセットの発生を防ぐ仕組みとなっている。
【００２９】
ここで、静電オフセットとは、通常、媒体１１裏面のプラス電荷によって媒体１１表面に保持されているマイナス極性に帯電したトナーが、表面が絶縁性又は半導電性の加熱ローラ２６と、表面が絶縁性の加圧ローラ２７とによって形成される圧接部、すなわち、定着ニップ部に突入する際に、媒体１１上に画像不良として現れてしまう現象のことを指す。
【００３０】
この静電オフセット現象は、特に、２色以上のトナーを重ねてカラー画像を形成するカラー画像形成装置における、２色以上のトナーを重ね合わせたベタ画像において、顕著となる。すなわち、トナー層が厚く堆（たい）積している媒体１１表面においては、媒体１１裏面の電荷によってすべてのトナーを保持することが難しく、静電オフセット現象も発生しやすくなる。
【００３１】
この静電オフセット現像を防止するためには、加熱ローラ２６表面に導電性を持たせることが考えられる。しかし、この場合は、トナーのマイナス電荷が加熱ローラ２６を通して逃げてしまうこととなり、媒体１１裏面のプラス電荷によってトナーを引き止めることができなくなってしまう。このことより、結局は静電オフセット現象が発生してしまうこととなり、根本的な解決とならない。
【００３２】
これに対して、従来の画像形成装置の定着器では、加熱ローラに対して負のバイアス電位が印加され、加熱ローラ表面を負に帯電させることが試みられている。これにより、トナーと加熱ローラ表面との間に反発電界を生じさせ、静電オフセット現象を防止するようになっている。さらに、従来の画像形成装置においては、定着ニップ部の上流に、再帯電機構を設けることで、媒体裏面の電荷又はトナー電荷を補充することによって、静電オフセット現象を防止する方法も試みられている。
【００３３】
これらのことより、加熱ローラ２６に印加されるバイアス電位は適切に選択されなければならないことが分かる。そこで、本実施の形態においては、高温多湿の環境下での転写かすれ対策及び低温低湿の環境下での静電オフセット対策をツェナダイオード３１の切り換えのみによって同時に行い、かつ、各環境下で最もマージンを持った加熱ローラ２６の帯電量を提供する。
【００３４】
次に、周辺環境に応じてツェナダイオード３１を選択する動作について説明する。
【００３５】
図６は本発明の第１の実施の形態におけるツェナダイオードを選択する動作を示すフローチャートである。
【００３６】
本実施の形態においては、温湿度センサ３５で読み取った環境変数を元に、複数のツェナダイオード３１ａ、３１ｂ及び３１ｃに取り付けられたスイッチ３３ａ及び３３ｂをＣＵ３４からの信号で開閉する。これにより、複数のツェナダイオード３１ａ、３１ｂ及び３１ｃの切り換えを行う。
【００３７】
前述のように、ツェナダイオード３１ａ、３１ｂ及び３１ｃの定格は、２００〔Ｖ〕、１１０〔Ｖ〕及び８０〔Ｖ〕である。すなわち、ツェナダイオード３１ａ（２００〔Ｖ〕）＞ツェナダイオード３１ｂ（１１０〔Ｖ〕）＞ツェナダイオード３１ｃ（８０〔Ｖ〕）である。
【００３８】
そして、周辺環境の温度が１５〜２２〔℃〕で、かつ、湿度が４０〜６０〔％〕である場合、図５に示されるように、スイッチ３３ａをＯＮ、すなわち、接続状態とし、スイッチ３３ｂをＯＦＦ、すなわち、非接続状態とし、ツェナダイオード３１ａ及び３１ｂを並列状態にする。これにより、定格の電圧が低いツェナダイオード３１ｂを介して加熱ローラ２６から電荷を逃がすことができる。
【００３９】
また、周辺環境の温度が１５〔℃〕未満となった場合、及び、温度が１５〜２２〔℃〕であっても湿度が４０〔％〕を下回った場合、スイッチ３３ａ及び２３ｂをともに接続状態とし、ツェナダイオード３１ａ、３１ｂ及び３１ｃを並列状態にする。これにより、定格の電圧が低いツェナダイオード３１ｃを介して加熱ローラ２６から電荷を逃がすことができる。
【００４０】
低温低湿の周辺環境では媒体１１が帯電しやすく、加熱ローラ２６のインピーダンスが高くなる。このため、媒体１１を通してトナーと加熱ローラ２６とがともに帯電すると、トナーと加熱ローラ２６との電位差が小さくなり、トナーが加熱ローラ２６に引き付けられ静電オフセットが起きる。そこで、低温低湿の場合には、前述のように、定格の電圧が低いツェナダイオード３１ｃを介して加熱ローラ２６から電荷を逃がし、加熱ローラ２６の帯電量を小さくすることによって、トナーと加熱ローラ２６との電位差を大きくする。これにより、加熱ローラ２６における静電オフセットの発生を防止する。
【００４１】
また、周辺環境の温度が２２〔℃〕以上となった場合、及び、温度が１５〜２２〔℃〕であっても湿度が６０〔％〕を超えた場合、スイッチ３３ａ及び３３ｂをともに非接続状態とする。これにより、定格の電圧が高いツェナダイオード３１ａを介して加熱ローラ２６から電荷を適切に逃がすことができる。
【００４２】
転写バイアスが低く、媒体１１を通して感光体ドラム２２と転写ローラ２１との間から加熱ローラ２６に電圧がリークしやすい高温多湿の周辺環境においては、定格の電圧が高いツェナダイオード３１ａを選択し、加熱ローラ２６の帯電量を大きくする。これにより、感光体ドラム２２と転写ローラ２１との間に規定のバイアスがかかるように制御することが可能となり、高温多湿の周辺環境下でも、転写かすれの発生を防止する。
【００４３】
この場合、まず、画像形成装置１０に取り付けられた温湿度センサ３５は、周辺環境の温度及び湿度を測定する。そして、ＣＵ３４は、温湿度センサ３５が検出した温度、すなわち、検出温度Ｔが１５〔℃〕未満であるか、又は、温湿度センサ３５が検出した湿度、すなわち、検出湿度Ｍが４０〔％〕未満であるか否かを判断する。そして、検出温度Ｔが１５〔℃〕未満であるか、又は、検出湿度Ｍが４０〔％〕未満である場合、ＣＵ３４は、スイッチ３３ａをＯＮとし、スイッチ３３ｂをＯＮとする。
【００４４】
また、検出温度Ｔが１５〔℃〕未満でなく、かつ、検出湿度Ｍが４０〔％〕未満でない場合、ＣＵ３４は、検出温度Ｔが２２〔℃〕以上であるか、又は、検出湿度Ｍが６０〔％〕を超えているか否かを判断する。そして、検出温度Ｔが２２〔℃〕以上であるか、又は、検出湿度Ｍが６０〔％〕を超えている場合、ＣＵ３４は、スイッチ３３ａをＯＦＦとし、スイッチ３３ｂをＯＦＦとする。
【００４５】
さらに、検出温度Ｔが２２〔℃〕以上でなく、かつ、検出湿度Ｍが６０〔％〕を超えていない場合、ＣＵ３４は、検出温度Ｔが１５〔℃〕以上で２２〔℃〕未満であって、かつ、検出湿度Ｍが４０〔％〕以上で６０〔％〕以下であるか否かを判断する。そして、検出温度Ｔが１５〔℃〕以上で２２〔℃〕未満であって、かつ、検出湿度Ｍが４０〔％〕以上で６０〔％〕以下である場合、ＣＵ３４は、スイッチ３３ａをＯＮとし、スイッチ３３ｂをＯＦＦとする。
【００４６】
なお、検出温度Ｔが１５〔℃〕以上で２２〔℃〕未満でないか、又は、検出湿度Ｍが４０〔％〕以上で６０〔％〕以下でない場合、ＣＵ３４はエラーとして、処理を終了する。
【００４７】
次に、フローチャートについて説明する。
ステップＳ１  検出温度Ｔが１５〔℃〕未満であるか、又は、検出湿度Ｍが４０〔％〕未満であるか否かを判断する。検出温度Ｔが１５〔℃〕未満であるか、又は、検出湿度Ｍが４０〔％〕未満である場合はステップＳ７に進み、検出温度Ｔが１５〔℃〕未満でなく、かつ、検出湿度Ｍが４０〔％〕未満でない場合はステップＳ２に進む。
ステップＳ２  検出温度Ｔが２２〔℃〕以上であるか、又は、検出湿度Ｍが６０〔％〕を超えているか否かを判断する。検出温度Ｔが２２〔℃〕以上であるか、又は、検出湿度Ｍが６０〔％〕を超えている場合はステップＳ５に進み、検出温度Ｔが２２〔℃〕以上でなく、かつ、検出湿度Ｍが６０〔％〕を超えていない場合はステップＳ３に進む。
ステップＳ３  検出温度Ｔが１５〔℃〕以上で２２〔℃〕未満であって、かつ、検出湿度Ｍが４０〔％〕以上で６０〔％〕以下であるか否かを判断する。検出温度Ｔが１５〔℃〕以上で２２〔℃〕未満であって、かつ、検出湿度Ｍが４０〔％〕以上で６０〔％〕以下である場合はステップＳ４に進み、検出温度Ｔが１５〔℃〕以上で２２〔℃〕未満でないか、又は、検出湿度Ｍが４０〔％〕以上で６０〔％〕以下でない場合はステップＳ６に進む。
ステップＳ４  スイッチ３３ａをＯＮとし、スイッチ３３ｂをＯＦＦとして、処理を終了する。
ステップＳ５  スイッチ３３ａをＯＦＦとし、スイッチ３３ｂをＯＦＦとして、処理を終了する。
ステップＳ６  エラーとして、処理を終了する。
ステップＳ７  スイッチ３３ａをＯＮとし、スイッチ３３ｂをＯＮとして、処理を終了する。
【００４８】
このように、本実施の形態においては、画像形成装置１０は、定格の異なる複数のツェナダイオード３１ａ、３１ｂ及び３１ｃと、スイッチ３３ａ及び３３ｂとを有する。そして、周辺環境の温度及び湿度に応じてスイッチ３３ａ及び３３ｂのＯＮ及びＯＦＦを切り換えることによって、ツェナダイオード３１を選択する。これにより、低温低湿の周辺環境では静電オフセット対策として定格の低いツェナダイオード３１ｃを選択することができる。また、高温多湿の周辺環境では、転写バイアス確保のために定格の高いツェナダイオード３１ａを選択することができる。
【００４９】
また、加熱ローラ２６の上流側に電源を設けたり、媒体１１の再帯電機構を設けるなど、複雑な機構が不要となり、構成を簡素化することが可能である。
【００５０】
次に、本発明の第２の実施の形態について説明する。なお、第１の実施の形態と同じ構造を有するものについては、同じ符号を付与することによって、その説明を省略する。また、前記第１の実施の形態と同じ動作及び効果についても、その説明を省略する。
【００５１】
図７は本発明の第２の実施の形態における画像形成装置のツェナダイオード及びその制御装置の構成を示す図である。
【００５２】
前記第１の実施の形態では、画像形成装置１０を使用するユーザは、所望の定格のツェナダイオード３１を選択することができない。これに対し、本実施の形態においては、ユーザが所望の定格のツェナダイオード３１を選択することができるようにするために、画像形成装置１０は、手動操作が可能な切換スイッチとしてのスイッチ３３ｃが固定された回転レバー部３７を有する。なお、該回転レバー部３７は、画像形成装置１０本体の上部等のように、ユーザが操作しやすい箇所に配設されることが望ましい。
【００５３】
そして、ユーザは、転写かすれの発生又は静電オフセットの発生を媒体１１上から認識した場合、回転レバー部３７を操作して、スイッチ３３ｃをツェナダイオード３１ａ、３１ｂ及び３１ｃのいずれかに接続させることによって、所望の定格のツェナダイオード３１を選択することができる。したがって、適切な定格のツェナダイオード３１を選択することによって、転写かすれの発生及び静電オフセットの発生を防止することができる。
【００５４】
なお、図に示される例においては、ツェナダイオード３１の数が３つであるが、ツェナダイオード３１の数は、複数であれば任意に設定することができ、例えば、２つであってもよいし、４つ以上であってもよい。
【００５５】
また、その他の点については、前記第１の実施の形態と同様であるので、その説明を省略する。
【００５６】
このように、本実施の形態においては、回転レバー部３７を操作することによって、ユーザが所望の定格のツェナダイオード３１を選択することができるようになっている。これにより、ユーザが適切な定格のツェナダイオード３１を選択することができ、転写かすれの発生及び静電オフセットの発生を防止することができる。
【００５７】
なお、前記第１及び第２の実施の形態においては、本発明をプリンタに適用した場合について説明したが、本発明は、ファクシミリ機、複写機等の他の種類の画像形成装置にも適用することができる。
【００５８】
また、本発明は前記実施の形態に限定されるものではなく、本発明の趣旨に基づいて種々変形させることが可能であり、それらを本発明の範囲から排除するものではない。
【図面の簡単な説明】
【００５９】
【図１】本発明の第１の実施の形態における画像形成装置の構成を示す図である。
【図２】本発明の第１の実施の形態における画像形成装置の要部拡大図である。
【図３】本発明の第１の実施の形態における画像形成装置のツェナダイオード及びその制御装置の構成を示す図である。
【図４】本発明の第１の実施の形態における画像形成装置のツェナダイオードの制御装置の構成を示すブロック図である。
【図５】本発明の第１の実施の形態におけるメモリに格納された内容を示す図である。
【図６】本発明の第１の実施の形態におけるツェナダイオードを選択する動作を示すフローチャートである。
【図７】本発明の第２の実施の形態における画像形成装置のツェナダイオード及びその制御装置の構成を示す図である。
【符号の説明】
【００６０】
１０    画像形成装置
２６    加熱ローラ
２７    加圧ローラ
３１、３１ａ、３１ｂ、３１ｃ    ツェナダイオード
３３ａ、３３ｂ、３３ｃ    スイッチ
３４    ＣＵ
３５    温湿度センサ
【図１】
2009175424.tif 000003
【図２】
2009175424.tif 000004
【図３】
2009175424.tif 000005
【図４】
2009175424.tif 000006
【図５】
2009175424.tif 000007
【図６】
2009175424.tif 000008
【図７】
2009175424.tif 000009